(57)【特許請求の範囲】
【請求項１】
携帯用情報機器であって、
第１筐体と、
前記第１筐体と隣接し、前記第１筐体に対して相対的に回動可能に連結された第２筐体と、
前記第１筐体の背面及び前記第２筐体の背面を覆うカバー装置と、
を備え、
前記カバー装置は、
スライド機構を用いて前記第１筐体と連結され、前記第１筐体の背面に対して前記第１筐体と前記第２筐体の並び方向に沿って相対移動可能なスライドカバー部と、
固定部材を用いて前記第２筐体と固定される固定カバー部と、
前記スライドカバー部と前記固定カバー部との間を相対的に回動可能に接続する折曲カバー部と、
を有し、
前記スライド機構は、
前記スライドカバー部に固定され、前記並び方向に沿って互いに摺動可能に連結されるレール及びスライダの一方である第１スライダ部品と、
前記第１筐体に固定され、前記レール及びスライダの他方である第２スライダ部品と、
を有し、
前記第２スライダ部品には、前記第１筐体に対するねじ止め用の取付孔が設けられ、
前記取付孔は、前記折曲カバー部と重なる位置に配置されている
ことを特徴とする携帯用情報機器。
【請求項２】
請求項１に記載の携帯用情報機器であって、
前記固定部材は、前記固定カバー部と前記第２筐体との間を粘着固定する引張剥離可能な両面粘着テープを含み、
前記両面粘着テープには、引張剥離操作用のタブが設けられ、
前記タブは、前記折曲カバー部と重なる位置に配置されている
ことを特徴とする携帯用情報機器。
【請求項３】
請求項２に記載の携帯用情報機器であって、
前記固定部材は、複数枚の前記両面粘着テープを含み、
全ての前記両面粘着テープの前記タブが、前記折曲カバー部と重なる位置に配置されていることを特徴とする携帯用情報機器。
【請求項４】
請求項２又は３に記載の携帯用情報機器であって
前記固定カバー部は、前記第２筐体の外面の一部を覆うように設けられ、
前記カバー装置は、さらに、前記固定カバー部と隣接して設けられて前記第２筐体の背面を覆うと共に、前記第２筐体の背面に対してヒンジ装置を介して相対的に回動可能に固定されたスタンドカバー部を備え、
前記ヒンジ装置は、
前記固定カバー部に覆われた状態で前記第２筐体と固定される第１ブラケットと、
前記スタンドカバー部と固定される第２ブラケットと、
前記第１ブラケット及び前記第２ブラケットを相対的に回動可能に支持するヒンジ軸と、
を有することを特徴とする携帯用情報機器。
【請求項５】
請求項４に記載の携帯用情報機器であって、
前記固定カバー部及び前記スタンドカバー部は、全体として略長方形の外形を形成しており、
前記外形は、前記並び方向に沿った第１短辺及び第２短辺と、該第１短辺及び該第２短辺と直交する第１長辺及び第２長辺と、を有し、前記第２長辺が前記折曲カバー部との境界線に位置しており、
前記スタンドカバー部は、
前記第１長辺の中央よりも前記第１短辺に寄った位置にある第１端部から前記第２長辺に向かって前記第１短辺から離間する方向へと次第に傾斜しながら延在し、前記第２長辺よりも手前の位置に第２端部が設けられるヒンジ取付縁部と、
前記第２長辺と平行して前記第２端部から前記第２短辺まで延在し、前記第２筐体及び前記固定カバー部に対して相対移動可能に設けられた自由縁部と、
を有し、
前記ヒンジ装置は、前記ヒンジ軸が前記ヒンジ取付縁部に沿って配置され、
前記第２ブラケットが前記ヒンジ取付縁部に対して固定される
ことを特徴とする携帯用情報機器。
【請求項６】
請求項１〜５のいずれか１項に記載の携帯用情報機器であって、
前記スライド機構として、
第１のスライド機構と、
前記第１のスライド機構と平行し、前記第１のスライド機構に対して前記並び方向に直交する方向で間隔を設けて並んだ第２のスライド機構と、
を備え、
前記第１のスライド機構における前記第１スライダ部品と前記第２スライダ部品との間の摺動部での嵌め合い公差が、前記第２のスライド機構における前記第１スライダ部品と前記第２スライダ部品との間の摺動部での嵌め合い公差よりも大きく設定されている
ことを特徴とする携帯用情報機器。
【請求項７】
請求項６に記載の携帯用情報機器であって、
前記カバー装置は、前記並び方向に沿って延在する一対の縁部のうち、第１の縁部が前記第２のスライド機構よりも前記第１のスライド機構に近い位置にあり、第２の縁部が前記第１のスライド機構よりも前記第２のスライド機構に近い位置にあり、
前記第１のスライド機構と前記第１の縁部との間の距離が、前記第２のスライド機構と前記第２の縁部との間の距離よりも小さい
ことを特徴とする携帯用情報機器。
【請求項８】
携帯用情報機器であって、
第１筐体と、
前記第１筐体と隣接し、前記第１筐体に対して相対的に回動可能に連結された第２筐体と、
前記第１筐体の背面及び前記第２筐体の背面を覆うカバー装置と、
を備え、
前記カバー装置は、
前記第１筐体の背面に対して前記第１筐体と前記第２筐体の並び方向に沿って相対移動可能に設けられたスライドカバー部と、
前記第２筐体の背面の一部を覆う固定カバー部と、
前記スライドカバー部と前記固定カバー部との間を相対的に回動可能に接続する折曲カバー部と、
前記固定カバー部と隣接して設けられて前記第２筐体の背面を覆うと共に、前記第２筐体の背面に対してヒンジ装置を介して相対的に回動可能に固定されたスタンドカバー部と、
を有し、
前記固定カバー部及び前記スタンドカバー部は、全体として略長方形の外形を形成しており、
前記外形は、前記並び方向に沿った第１短辺及び第２短辺と、該第１短辺及び該第２短辺と直交する第１長辺及び第２長辺と、を有し、前記第２長辺が前記折曲カバー部との境界線に位置しており、
前記スタンドカバー部は、
前記第１長辺の中央よりも前記第１短辺に寄った位置にある第１端部から前記第２長辺に向かって前記第１短辺から離間する方向へと次第に傾斜しながら延在し、前記第２長辺よりも手前の位置に第２端部が設けられるヒンジ取付縁部と、
前記第２長辺と平行して前記第２端部から前記第２短辺まで延在し、前記第２筐体及び前記固定カバー部に対して相対移動可能に設けられた自由縁部と、
を有し、
前記ヒンジ装置は、ヒンジ軸が前記ヒンジ取付縁部に沿って配置される
ことを特徴とする携帯用情報機器。
【請求項９】
互いに隣接して相対的に回動可能に連結された携帯用情報機器の第１筐体及び第２筐体の背面を覆うカバー装置であって、
前記第１筐体の背面に対して前記第１筐体と前記第２筐体の並び方向に沿って相対移動可能に設けられたスライドカバー部と、
前記第２筐体の背面の一部を覆う固定カバー部と、
前記スライドカバー部と前記固定カバー部との間を相対的に回動可能に接続する折曲カバー部と、
前記固定カバー部と隣接して設けられて前記第２筐体の背面を覆うと共に、前記第２筐体の背面に対してヒンジ装置を介して相対的に回動可能に固定されたスタンドカバー部と、
を備え、
前記固定カバー部及び前記スタンドカバー部は、全体として略長方形の外形を形成しており、
前記外形は、前記並び方向に沿った第１短辺及び第２短辺と、該第１短辺及び該第２短辺と直交する第１長辺及び第２長辺と、を有し、前記第２長辺が前記折曲カバー部との境界線に位置しており、
前記スタンドカバー部は、
前記第１長辺の中央よりも前記第１短辺に寄った位置にある第１端部から前記第２長辺に向かって前記第１短辺から離間する方向へと次第に傾斜しながら延在し、前記第２長辺よりも手前の位置に第２端部が設けられるヒンジ取付縁部と、
前記第２長辺と平行して前記第２端部から前記第２短辺まで延在し、前記第２筐体及び前記固定カバー部に対して相対移動可能に設けられた自由縁部と、
を有し、
前記ヒンジ装置は、ヒンジ軸が前記ヒンジ取付縁部に沿って配置される
ことを特徴とするカバー装置。
【請求項１０】
携帯用情報機器であって、
第１筐体と、
前記第１筐体と隣接し、前記第１筐体に対して相対的に回動可能に連結された第２筐体と、
前記第１筐体の背面及び前記第２筐体の背面を覆うカバー装置と、
を備え、
前記カバー装置は、
スライド機構を用いて前記第１筐体と連結され、前記第１筐体の背面に対して前記第１筐体と前記第２筐体の並び方向に沿って相対移動可能なスライドカバー部と、
引張剥離操作用のタブを引っ張ることで引張剥離可能な特性を有する両面粘着テープを用いて前記第２筐体と固定された固定カバー部と、
前記スライドカバー部と前記固定カバー部との間を相対的に回動可能に接続する折曲カバー部と、
を備え、
前記両面粘着テープには、引張剥離操作用のタブが設けられ、
前記タブは、前記折曲カバー部と重なる位置に配置されている
ことを特徴とする携帯用情報機器。
【発明の詳細な説明】
【技術分野】
【０００１】
本発明は、カバー装置を備える携帯用情報機器及びカバー装置に関する。
【背景技術】
【０００２】
ノート型ＰＣやタブレット型ＰＣ等の携帯用情報機器は、持ち運び時の損傷や破損を避ける必要がある。また、携帯用情報機器は、外観意匠や触感が高品質であることが望まれる。そこで、携帯用情報機器の保護用或いは装飾用として、筐体の背面にカバー装置が装着されることがある。本出願人は特許文献１において、折り畳み型のタブレット型ＰＣに対応したカバー装置を提案している。
【先行技術文献】
【特許文献】
【０００３】
【特許文献１】特開２０１８−１０５９６１号公報
【発明の概要】
【発明が解決しようとする課題】
【０００４】
上記のようなカバー装置は、携帯用情報機器の筐体にねじや両面粘着テープを用いて強固に固定される場合がある。この場合、カバー装置は、ディスプレイやバッテリ等の部品交換時や、カバー装置自体の交換時に容易に筐体から取り外すことができることが望まれている。ところが、折り畳み型の携帯用情報機器は、折り畳まれる筐体に対応するためにカバー装置の構造が複雑なものとなり、簡素な着脱構造を構築することが難しい。
【０００５】
本発明は、上記従来技術の課題を考慮してなされたものであり、筐体から容易に取り外すことができるカバー装置を備える携帯用情報機器及びカバー装置を提供することを目的とする。
【課題を解決するための手段】
【０００６】
本発明の第１態様に係る携帯用情報機器は、携帯用情報機器であって、第１筐体と、前記第１筐体と隣接し、前記第１筐体に対して相対的に回動可能に連結された第２筐体と、前記第１筐体の背面及び前記第２筐体の背面を覆うカバー装置と、を備え、前記カバー装置は、スライド機構を用いて前記第１筐体と連結され、前記第１筐体の背面に対して前記第１筐体と前記第２筐体の並び方向に沿って相対移動可能なスライドカバー部と、固定部材を用いて前記第２筐体と固定される固定カバー部と、前記スライドカバー部と前記固定カバー部との間を相対的に回動可能に接続する折曲カバー部と、を有し、前記スライド機構は、前記スライドカバー部に固定され、前記並び方向に沿って互いに摺動可能に連結されるレール及びスライダの一方である第１スライダ部品と、前記第１筐体に固定され、前記レール及びスライダの他方である第２スライダ部品と、を有し、前記第２スライダ部品には、前記第１筐体に対するねじ止め用の取付孔が設けられ、前記取付孔は、前記折曲カバー部と重なる位置に配置されている。
【０００７】
本発明の第２態様に係る携帯用情報機器は、携帯用情報機器であって、第１筐体と、前記第１筐体と隣接し、前記第１筐体に対して相対的に回動可能に連結された第２筐体と、前記第１筐体の背面及び前記第２筐体の背面を覆うカバー装置と、を備え、前記カバー装置は、前記第１筐体の背面に対して前記第１筐体と前記第２筐体の並び方向に沿って相対移動可能に設けられたスライドカバー部と、前記第２筐体の背面の一部を覆う固定カバー部と、前記スライドカバー部と前記固定カバー部との間を相対的に回動可能に接続する折曲カバー部と、前記固定カバー部と隣接して設けられて前記第２筐体の背面を覆うと共に、前記第２筐体の背面に対してヒンジ装置を介して相対的に回動可能に固定されたスタンドカバー部と、を有し、前記固定カバー部及び前記スタンドカバー部は、全体として略長方形の外形を形成しており、前記外形は、前記並び方向に沿った第１短辺及び第２短辺と、該第１短辺及び該第２短辺と直交する第１長辺及び第２長辺と、を有し、前記第２長辺が前記折曲カバー部との境界線に位置しており、前記スタンドカバー部は、前記第１長辺の中央よりも前記第１短辺に寄った位置にある第１端部から前記第２長辺に向かって前記第１短辺から離間する方向へと次第に傾斜しながら延在し、前記第２長辺よりも手前の位置に第２端部が設けられるヒンジ取付縁部と、前記第２長辺と平行して前記第２端部から前記第２短辺まで延在し、前記第２筐体及び前記固定カバー部に対して相対移動可能に設けられた自由縁部と、を有し、前記ヒンジ装置は、ヒンジ軸が前記ヒンジ取付縁部に沿って配置される。
【０００８】
本発明の第３態様に係るカバー装置は、互いに隣接して相対的に回動可能に連結された携帯用情報機器の第１筐体及び第２筐体の背面を覆うカバー装置であって、前記第１筐体の背面に対して前記第１筐体と前記第２筐体の並び方向に沿って相対移動可能に設けられたスライドカバー部と、前記第２筐体の背面の一部を覆う固定カバー部と、前記スライドカバー部と前記固定カバー部との間を相対的に回動可能に接続する折曲カバー部と、前記固定カバー部と隣接して設けられて前記第２筐体の背面を覆うと共に、前記第２筐体の背面に対してヒンジ装置を介して相対的に回動可能に固定されたスタンドカバー部と、を備え、前記固定カバー部及び前記スタンドカバー部は、全体として略長方形の外形を形成しており、前記外形は、前記並び方向に沿った第１短辺及び第２短辺と、該第１短辺及び該第２短辺と直交する第１長辺及び第２長辺と、を有し、前記第２長辺が前記折曲カバー部との境界線に位置しており、前記スタンドカバー部は、前記第１長辺の中央よりも前記第１短辺に寄った位置にある第１端部から前記第２長辺に向かって前記第１短辺から離間する方向へと次第に傾斜しながら延在し、前記第２長辺よりも手前の位置に第２端部が設けられるヒンジ取付縁部と、前記第２長辺と平行して前記第２端部から前記第２短辺まで延在し、前記第２筐体及び前記固定カバー部に対して相対移動可能に設けられた自由縁部と、を有し、前記ヒンジ装置は、ヒンジ軸が前記ヒンジ取付縁部に沿って配置される。
【発明の効果】
【００１０】
本発明の上記態様によれば、カバー装置を筐体から容易に取り外すことができる。
【図面の簡単な説明】
【００１１】
【図１】図１は、一実施形態に係る携帯用情報機器を閉じて積層形態とした状態を示す斜視図である。
【図２Ａ】図２Ａは、図１に示す携帯用情報機器を開いて平板形態とした状態を模式的に示す側面図である。
【図２Ｂ】図２Ｂは、図２Ａに示す携帯用情報機器をノート形態とした状態での側面図である。
【図２Ｃ】図２Ｃは、図２Ｂに示す携帯用情報機器を閉じて積層形態として状態での側面図である。
【図３】図３は、携帯用情報機器をカバー装置側から見た平面図である。
【図４】図４は、スタンドカバー部を起立位置として携帯用情報機器を立てた状態での模式的な斜視図である。
【図５】図５は、ベースカバー部の模式的な分解斜視図である。
【図６】図６は、スタンドカバー部の模式的な分解斜視図である。
【図７】図７は、カバー装置を筐体に対する装着面である裏面側から見た平面図である。
【図８Ａ】図８Ａは、レールの平面図である。
【図８Ｂ】図８Ｂは、スライダの平面図である。
【図９】図９は、図８Ａ中のＩＸ−ＩＸ線に沿う模式的な断面図である。
【図１０】図１０は、スライダの係止部とフックとの係止状態を模式的に示す側面断面図である。
【図１１Ａ】図１１Ａは、カバー装置の筐体からの取り外す前の状態を模式的に示す平面図である。
【図１１Ｂ】図１１Ｂは、図１１Ａに示す状態から両面粘着テープを剥離して固定カバー部及び折曲カバー部を捲り上げた状態を示す平面図である。
【図１１Ｃ】図１１Ｃは、図１１Ｂに示す状態からスライドカバー部及びスタンドカバー部を取り外す動作を示す平面図である。
【図１２】図１２は、平板形態の筐体から折曲カバー部２浮かせた状態を模式的に示す側面図である。
【図１３】図１３は、変形例に係るスタンドカバー部を有するカバー装置１４が装着された携帯用情報機器を見たカバー装置側から見た平面図である。
【図１４】図１４は、スタンドカバー部を用いて携帯用情報機器を横置きで立てた状態での模式的な斜視図である。
【図１５】図１５は、スタンドカバー部を用いて携帯用情報機器を縦置きで立てた状態での模式的な斜視図である。
【発明を実施するための形態】
【００１２】
以下、本発明に係る携帯用情報機器及びカバー装置について好適な実施形態を挙げ、添付の図面を参照しながら詳細に説明する。
【００１３】
図１は、一実施形態に係る携帯用情報機器１０を閉じて積層形態とした状態を示す斜視図である。図２Ａは、図１に示す携帯用情報機器１０を開いて平板形態とした状態を模式的に示す側面図である。図２Ｂは、図２Ａに示す携帯用情報機器１０をノート形態とした状態での側面図である。図２Ｃは、図２Ｂに示す携帯用情報機器１０を閉じて積層形態として状態での側面図である。
【００１４】
図１〜図２Ｃに示すように、携帯用情報機器１０は、第１筐体１２Ａと、第２筐体１２Ｂと、カバー装置１４と、を備える。本実施形態の携帯用情報機器１０は、折り畳み可能なタブレット型ＰＣ或いはノート型ＰＣである。カバー装置１４は、筐体１２Ａ，１２Ｂの外面を覆うことでこれを保護する保護機能と、外面を装飾して外観意匠を高める装飾機能とを有する。カバー装置１４の装着対象となる携帯用情報機器は、当該携帯用情報機器１０の他、一般的なクラムシェル型のノート型ＰＣ、一枚板状のタブレット型ＰＣ、スマートフォン、又は携帯用ゲーム機等でもよい。
【００１５】
先ず、携帯用情報機器１０の構成を説明する。携帯用情報機器１０は、筐体１２Ａ，１２Ｂと、ディスプレイ１６と、を備える。
【００１６】
筐体１２Ａ，１２Ｂは、互いに隣接して配置されている。筐体１２Ａ，１２Ｂの隣接端部１２Ａａ，１２Ｂａは、背表紙部材１８で内側から覆われている。筐体１２Ａ，１２Ｂは、それぞれ隣接端部１２Ａａ，１２Ｂａ以外の３辺に側壁が起立した矩形の板状部材で形成されている。筐体１２Ａ，１２Ｂは、例えばステンレス、マグネシウム、若しくはアルミニウム等の金属板、又は、炭素繊維等の強化繊維を含む繊維強化樹脂板等で構成される。
【００１７】
以下、図１及び図２に示すように、携帯用情報機器１０について、筐体１２Ａ，１２Ｂの並び方向をＸ方向、これと直交する隣接端部１２Ａａ，１２Ｂａに沿った方向をＹ方向、と呼んで説明する。
【００１８】
筐体１２Ａ，１２Ｂは、互いの隣接端部１２Ａａ，１２Ｂａが一対のヒンジ１９，１９を介して連結されている。筐体１２Ａ，１２Ｂ間は、ヒンジ１９により、図２Ａに示す平板形態と図２Ｃに示す積層形態との間で相対的に回動可能に連結されている。平板形態において、筐体１２Ａ，１２Ｂは、互いに面方向に垂直な方向（Ｘ方向）に並んで配置され、一枚板状になる。積層形態において、筐体１２Ａ，１２Ｂは、互いに重ねて積層される。ヒンジ１９は、所定の回転トルクを発生可能である。このため、筐体１２Ａ，１２Ｂ間は、互いの角度を９０度〜１４０度程度としたノート形態（図２Ｂ参照）でも安定する。ヒンジ１９は、例えば筐体１２Ａ，１２Ｂの隣接端部１２Ａａ，１２ＢａのＹ方向両端部にそれぞれ配置され、ディスプレイ１６の外周縁部の外側に位置している。本実施形態の携帯用情報機器１０は、ヒンジ１９による筐体１２Ａ，１２Ｂ間の回動中心がディスプレイ１６の表面と一致するように設定されている。
【００１９】
各筐体１２Ａ，１２Ｂの内部には、マザーボード及びこれに実装されたＣＰＵ等の各種半導体チップ、通信モジュール、バッテリ装置、冷却装置等の各種電子部品等が搭載されている。図２Ａ〜図２Ｃ中の参照符号１７は、第１筐体１２Ａの表面でディスプレイ１６を囲むベゼルに形成された開口から臨む撮像用等のカメラである。
【００２０】
ディスプレイ１６は、例えばタッチパネル式の液晶ディスプレイである。ディスプレイ１６は、隣接端部１２Ａａ，１２Ｂａを跨いでＹ方向に延在する帯状の範囲が折曲領域となる。これによりディスプレイ１６は、筐体１２Ａ，１２Ｂを折り畳んだ際に一緒に折り畳み可能であり、筐体１２Ａ，１２Ｂの開閉動作に伴って開閉する。ディスプレイ１６は、例えば柔軟性の高いペーパー構造を持った有機ＥＬ（Electro  Luminescence）等のフレキシブルディスプレイである。
【００２１】
次に、カバー装置１４の全体構成を説明する。図３は、携帯用情報機器１０をカバー装置１４側から見た平面図である。
【００２２】
図１〜図３に示すように、カバー装置１４は、筐体１２Ａ，１２Ｂの背面１２Ａｂ，１２Ｂｂを覆うように設けられている。カバー装置１４は、使用形態（図２Ａ参照）では背面１２Ａｂ，１２Ｂｂの全面を覆う。カバー装置１４は、ノート形態及び収納形態（図２Ｂ及び図２Ｂ参照）では背面１２Ａｂの大部分と背面１２Ｂｂの全面とを覆う。
【００２３】
カバー装置１４は、ベースカバー部２０と、スタンドカバー部２２と、ヒンジ装置２４と、を備える。カバー部２０，２２は、ヒンジ装置２４を挟んでＸ方向に延在している。カバー部２０，２２は、使用形態時には、全体として背面１２Ａｂ，１２Ｂｂの全面、つまり第１筐体１２Ａの開放端部１２Ａｃから第２筐体１２Ｂの開放端部１２Ｂｃまでを覆う。開放端部１２Ａｃ，１２Ｂｃは、それぞれＸ方向で隣接端部１２Ａａ，１２Ｂａとは逆側に位置し、Ｙ方向に延びた端部である。
【００２４】
ベースカバー部２０は、第１筐体１２Ａ側から第２筐体１２Ｂ側に向かって順に、スライドカバー部２６と、折曲カバー部２７と、固定カバー部２８と、を有する。
【００２５】
スライドカバー部２６は、第１筐体１２Ａの背面１２Ａｂに対してＸ方向に相対移動可能に設けられた薄いプレート状部材である。図２Ａ及び図３に示す平板形態時、スライドカバー部２６は、先端部２６ａが第１筐体１２Ａの開放端部１２Ａｃと一致する。先端部２６ａは、Ｘ方向で折曲カバー部２７との境界線Ｂ１とは逆側に位置し、Ｙ方向に延びた端部である。図２Ｂ及び図２Ｃに示すノート形態時及び平板形態時、スライドカバー部２６は、それぞれ先端部２６ａが開放端部１２Ａｃから隣接端部１２Ａａ側に後退した位置までスライドする。
【００２６】
折曲カバー部２７は、筐体１２Ａ，１２Ｂ間の隣接端部１２Ａａ，１２Ｂａを跨ぐ位置に設けられ、Ｘ方向に幅狭でＹ方向に延びた帯状領域である。折曲カバー部２７は、第１筐体１２Ａ側でＹ方向に沿った境界線Ｂ１でスライドカバー部２６と折曲可能に接続されている。折曲カバー部２７は、第２筐体１２Ｂ側でＹ方向に沿った境界線Ｂ２で固定カバー部２８と折曲可能に接続されている。折曲カバー部２７は、全体として可撓性を有し、スライドカバー部２６と固定カバー部２８との間を相対的に回動可能に接続している。折曲カバー部２７は、筐体１２Ａ，１２Ｂ間の回動動作にカバー装置１４を追従して回動させるためのフレキシブルヒンジである。折曲カバー部２７は、少なくとも図２Ｃに示す積層形態時に筐体１２Ａ，１２Ｂの隣接端部１２Ａａ，１２Ｂａ間を覆うことができるＸ方向の幅寸法を持った折曲領域である。
【００２７】
固定カバー部２８は、折曲カバー部２７の一部とスタンドカバー部２２と共に第２筐体１２Ｂの背面１２Ａｂを覆う薄いプレート状部材である。固定カバー部２８は、スタンドカバー部２２と略線対称形状を成しており、本実施形態では平面視略台形状である。固定カバー部２８は、第２筐体１２Ｂの背面１２Ａｂと相対的に固定されている。本実施形態の固定カバー部２８は、背面１２Ａｂに直接固定されている。固定カバー部２８は、Ｘ方向で境界線Ｂ２側とは逆側の縁部２８ａが、ヒンジ装置２４を介してスタンドカバー部２２と隣接している。縁部２８ａは、Ｙ方向に向かって次第にＸ方向に傾斜している。
【００２８】
図４は、スタンドカバー部２２を起立位置として携帯用情報機器１０を立てた状態での模式的な斜視図である。図４に示すように、スタンドカバー部２２は、ベースカバー部２０の固定カバー部２８及び第２筐体１２の背面１２Ｂｂに対して相対的に回動可能に設けられている。本実施形態のスタンドカバー部２２は、ヒンジ装置２４を介して第２筐体１２Ｂの背面１２Ａｂに連結されている。
【００２９】
図２Ａ〜図４に示すように、スタンドカバー部２２は、固定カバー部２８と略線対称形状を成しており、本実施形態では平面視略台形状である。スタンドカバー部２２は、固定カバー部２８の縁部２８ａとヒンジ装置２４を挟んで隣接する縁部２２ａがヒンジ装置２４と連結される。スタンドカバー部２２は、縁部２２ａ側と逆側の先端部２２ｂが第２筐体１２Ｂの開放端部１２Ｂｃと一致する。
【００３０】
スタンドカバー部２２は、ヒンジ装置２４の回転動作により、先端部２２ｂが背面１２Ｂｂに当接した収納位置（０度）から、背面１２Ｂｂから次第に離間する方向に移動可能である。先端部２２ｂは、最大でベースカバー部２０の表面２０ａに当接してそれ以上の移動が規制される位置（１８０度）まで移動可能である。これによりスタンドカバー部２２は、背面１２Ｂｂに沿って設けられる収納位置（図２Ａ及び図３参照）と、背面１２Ａｂから突出した起立位置（例えば図４参照）との間で移動可能である。
【００３１】
図４に示すように、スタンドカバー部２２は、固定カバー部２８に対して適度な角度（起立位置）に設定することで、平板形態とした携帯用情報機器１０を起立姿勢に維持するスタンドとして機能する。起立位置において、スタンドカバー部２２は、台形の下底となる底縁部２２ｃが机面上等に当接し、携帯用情報機器１０を背面１２Ａｂ，１２Ｂｂ側に少し倒れた所定の起立姿勢に維持することができる。
【００３２】
ヒンジ装置２４は、スタンドカバー部２２をベースカバー部２０及び第２筐体１２Ｂに対して相対的に回動可能に連結する。図３に示すように、ヒンジ装置２４は、ヒンジ軸３０と、第１ブラケット３１Ａ，３１Ｂと、第２ブラケット３２Ａ，３２Ｂと、を備える。
【００３３】
ヒンジ軸３０は、スタンドカバー部２２の縁部２２ａと固定カバー部２８の縁部２８ａとの間に介在し、これら縁部２２ａ，２８ａに沿って延在した金属製の棒状部材である。第１ブラケット３１Ａ，３１Ａは、第２筐体１２Ｂにねじ止めされている。第２ブラケット３２Ａ，３２Ｂは、スタンドカバー部２２と固定されている。ヒンジ装置２４は、第１ブラケット３１Ａ，３１Ｂ又は第２ブラケット３２Ａ，３２Ｂがヒンジ軸３０に対して所定の回転トルクを介して回転可能に支持されることで、第１ブラケット３１Ａ，３１Ａと第２ブラケット３２Ａ，３２Ｂとが相対的に回動する。これによりヒンジ装置２４は、第２筐体１２Ｂ及び固定カバー部２８に対してスタンドカバー部２２を相対的に回動可能に支持している。その結果、スタンドカバー部２２は、所望の角度の起立位置に保持することができ、携帯用情報機器１０のキックスタンドとして機能する（図４参照）。
【００３４】
次に、カバー装置１４の具体的な構造を説明する。図５は、ベースカバー部２０の模式的な分解斜視図である。図６は、スタンドカバー部２２の模式的な分解斜視図である。図７は、カバー装置１４を筐体１２Ａ，１２Ｂに対する装着面である裏面側から見た平面図である。
【００３５】
図５及び図７に示すように、ベースカバー部２０において、スライドカバー部２６は、第１筐体１２Ａの背面１２Ａｂ側から順に、芯材３４Ａと、グラファイトシート３５と、補助シート３６と、表面材３７と、が積層された構造である。固定カバー部２８は、第２筐体１２Ｂの背面１２Ｂｂ側から順に、芯材３４Ｂと、グラファイトシート３５と、補助シート３６と、表面材３７と、が積層された構造である。折曲カバー部２７は、筐体１２Ａ，１２Ｂの背面１２Ａｂ，１２Ｂｂ側から順に、保護カバー３８と、グラファイトシート３５と、補助シート３６と、表面材３７と、が積層された構造である。図５中の参照符号３９は、両面テープ、粘着剤、或いは接着剤等の固定部材である。ベースカバー部２０や後述するスタンドカバー部２２の積層構造は、適宜変更可能であり、その積層数や積層順も適宜変更可能である。
【００３６】
芯材３４Ａは、スライドカバー部２６のベースとなる硬質の部材である。芯材３４Ａは、スライドカバー部２６の略全面に亘って延在しており、各所に部品配置や軽量化等のための凹部や切抜き部が形成されている。芯材３４Ａは、例えばガラス繊維にエポキシ樹脂を含浸させたガラス繊維強化樹脂（ＧＦＲＰ）やポリカーボネート（ＰＣ）等の樹脂で成形されたプレート状部材である。芯材３４Ａは、例えば１〜２ｍｍ程度の板厚を有する。
【００３７】
芯材３４Ｂは、固定カバー部２８のベースとなる硬質の部材である。芯材３４Ｂは、固定カバー部２８の略全面に亘って延在しており、各所に軽量化等のための切欠き加工や切抜き加工が形成されている。図６は、図面の見易さを確保するため、図７と比べて芯材３４Ｂの切欠き加工や切抜き加工の形状を簡素化して図示している。芯材３４Ｂは、スライドカバー部２６の芯材３４Ａと形状が異なる以外は同一の材質及び板厚でよい。
【００３８】
スライドカバー部２６は、Ｙ方向に間隔を介して並んだ一対のスライド機構４０により、第１筐体１２Ａに対してＸ方向に相対移動可能に連結されている。各スライド機構４０は、芯材３４Ａの裏面に形成された大型の凹部３４ａにそれぞれ配設されている。スライド機構４０の具体的な構成は後述する。
【００３９】
固定カバー部２８は、複数枚（図５では４枚）の両面粘着テープ４４を用いて芯材３４Ｂが第２筐体１２Ｂの背面１２Ａｂに固定される。各両面粘着テープ４４は、引張剥離可能な特性を有する。両面粘着テープ４４は、ストレッチリリーステープ、ストレッチ両面テープ、或いはストレッチャブルテープとも呼ばれる部品である。各両面粘着テープ４４は、引張剥離操作用のタブ４４ａを一端部に有する。各両面粘着テープ４４は、タブ４４ａを引っ張ることで両粘着面が容易に剥離される。
【００４０】
グラファイトシート３５は、芯材３４Ａ，３４Ｂの表面に固定部材３９で固定され、積層されている。グラファイトシート３５は、ベースカバー部２０の略全面に亘って延在している。グラファイトシート３５は、例えば０．０５〜０．１５ｍｍ程度の厚みを有する。グラファイトシート３５は、携帯用情報機器１０内で発生した熱を吸熱し、拡散する熱拡散シートである。グラファイトシート３５を有することにより、ベースカバー部２０は、その表面２０ａでの局所的な高温部（ホットスポット）の形成が抑制される。
【００４１】
補助シート３６は、グラファイトシート３５の表面に固定部材３９で固定され、積層されている。補助シート３６は、グラファイトシート３５の表面の全面を覆うように設けられ、グラファイトシート３５が持つ気泡やしわ等による凹凸形状が表面材３７に転写されることを防止する。補助シート３６は、芯材３４Ａ，３４Ｂよりも柔軟で、且つ表面材３７よりも硬質である。補助シート３６は、例えばポリカーボネート（ＰＣ）等の樹脂で成形されたシート状部材である。補助シート３６は、例えば０．１〜０．５ｍｍ程度の厚みを有する。
【００４２】
表面材３７は、ベースカバー部２０の外観意匠や触感を高めるための表皮材である。表面材３７は、補助シート３６の表面に固定部材３９で固定され、積層されている。表面材３７は、ベースカバー部２０の表面２０ａを形成するように補助シート３６の全面を覆っている。表面材３７は、人工皮革、天然皮革、或いは樹脂等で形成され、補助シート３６や芯材３４Ａ，３４Ｂよりも柔軟なシート状部材である。表面材３７は、例えば０．５〜１ｍｍ程度の厚みを有する。
【００４３】
折曲カバー部２７は、芯材３４Ａ，３４Ｂを持たず、芯材３４Ａ，３４Ｂ間の隙間と重なる領域に設けられている。折曲カバー部２７は、柔軟な保護カバー３８、グラファイトシート３５、補助シート３６、及び表面材３７のみで形成されている。折曲カバー部２７は、芯材を持たないため、フレキシブルヒンジとしての柔軟性を有する。つまりグラファイトシート３５、補助シート３６、及び表面材３７の折曲領域が折曲カバー部２７を構成している。
【００４４】
折曲カバー部２７は、グラファイトシート３５の裏面に芯材３４Ａ，３４Ｂ間の隙間を覆う保護カバー３８が貼り付けられている。保護カバー３８は、グラファイトの粉こぼれ等を防止するためのシート状部材である。保護カバー３８は省略してもよい。この場合、例えばグラファイトシート３５は、その裏面を樹脂等のコーティングによって覆うとよい。
【００４５】
図６及び図７に示すように、スタンドカバー部２２は、第２筐体１２Ｂの背面１２Ａｂ側から順に、裏面材４６と、補助シート４７と、芯材４８と、表面材４９と、が積層された構造である。図５中の参照符号５０は、ベースカバー部２０の固定部材３９と同様な固定部材である。
【００４６】
裏面材４６は、起立位置で外観上に現れるスタンドカバー部２２の裏面の外観意匠や触感を高めるための表皮材である。裏面材４６は、芯材４８の裏面に固定部材５０で固定され、積層されている。裏面材４６は、人工皮革、天然皮革、或いは樹脂等で形成された柔軟なシート状部材である。裏面材４６は、例えば０．５〜１ｍｍ程度の厚みを有する。
【００４７】
補助シート４７は、芯材４８と裏面材４６の間に積層されている。芯材４８は、スタンドカバー部２２のベースとなる硬質の部材である。表面材４９は、スタンドカバー部２２の外観意匠や触感を高めるための表皮材である。補助シート４７、芯材４８、及び表面材４９は、上記したベースカバー部２０の補助シート３６、芯材３４Ａ，３４Ｂ、及び表面材３７と形状等が異なる以外は、同一又は同様な構成でよいため、詳細な説明は省略する。スタンドカバー部２２にもグラファイトシート３５を設けてもよい。
【００４８】
次に、スライド機構４０の具体的な構成を説明する。図５及び図７に示すように、各スライド機構４０は、レール４１と、スライダ４２と、ばね４３と、を有する。図８Ａは、レール４１の平面図である。図８Ｂは、スライダ４２の平面図である。図７及び図８Ａ等に示すように、以下では、Ｘ方向について、第２筐体１２Ｂから第１筐体１２Ａに向かう方向をＸ１方向、第１筐体１２Ａから第２筐体１２Ｂに向かう方向をＸ２方向と呼ぶこともある。
【００４９】
図７及び図８Ａに示すように、レール４１は、Ｘ方向に延在した金属薄板であり、一部に折曲加工や孔あけ加工が施されている。レール４１は、長手方向の端部にそれぞれＹ方向に延びた取付板４１ａ，４１ｂが設けられ、全体として平面視略Ｈ字形状を成している。レール４１は、各取付板４１ａ，４１ｂが芯材３４Ａに対してねじ或いは粘着剤等を用いて固定される。Ｘ１側の取付板４１ｂは、レール４１を跨ぐ一対の支持部４１ｃ，４１ｃを有する。支持部４１ｃは、取付板４１ｂのＸ１側端面に設けられ、ばね４３のＸ２側端部が支持される。
【００５０】
図７及び図８Ｂに示すように、スライダ４２は、レール４１に対してＸ方向に摺動可能に連結されている。スライダ４２は、Ｘ方向に延在した金属薄板であり、一部に折曲加工や孔あけ加工が施されている。スライダ４２は、Ｘ２側端部にＹ方向に延びたスライダ羽根４２ａが設けられ、全体として平面視略Ｔ字形状を成している。スライダ４２は、Ｘ２側端部にＹ方向に並んだ一対の取付孔４２ｂ，４２ｂを有する。スライダ４２のＸ２側端部は、折曲カバー部２７と重なる位置まで延びている。各取付孔４２ｂは、折曲カバー部２７と重なる位置に配置され、第１筐体１２Ａにねじ止めされる。
【００５１】
スライダ羽根４２ａは、スライダ４２を跨ぐ一対の支持部４２ｃ，４２ｃと及び一対の係止部４２ｄ，４２ｄを有する。各支持部４２ｃは、スライダ羽根４２ａのＸ２側端面に設けられ、ばね４３のＸ１側端部が支持される。各係止部４２ｄは、スライダ羽根４２ａのＸ２側端面に設けられ、支持部４２ｃの外側に位置している。各係止部４２ｄは、第２筐体１２Ｂの背面１２Ｂｂから突出したフック５２に係止される。これによりスライダ４２は、フック５２による係止部４２ｄの係止作用下に、Ｘ２方向への移動が規制される。
【００５２】
ばね４３は、引張コイルばねである。ばね４３は、レール４１の支持部４１ｃとスライダ４２の支持部４２ｃとの間に掛け渡される。ばね４３は、レール４１に対してスライダ４２がＸ２方向に相対移動する方向に常時付勢している。換言すれば、レール４１は、第１筐体１２Ａに固定されたスライダ４２に対して、Ｘ１方向に相対移動する方向に常時付勢されている。これによりスライド機構４０は、スライドカバー部２６を先端部２６ａが第１筐体１２Ａの開放端部１２Ａｃに向かうスライド方向（Ｘ１方向）に常時付勢している。従って、スライドカバー部２６は、Ｘ２方向への引寄せ力を受けない平板形態時（図２Ａ及び図７参照）、ばね４３の付勢力により、先端部２６ａが第１筐体１２Ａの開放端部１２Ａｃと確実に一致する。
【００５３】
図９は、図８Ａ中のＩＸ−ＩＸ線に沿う模式的な断面図であり、レール４１とスライダ４２との間の摺動部の状態を模式的に示している。図９に示すように、レール４１とスライダ４２との摺動部は、スライダ４２が円滑に移動するために必要な嵌め合い公差ｔを有する。
【００５４】
ここで、スライドカバー部２６について、Ｘ方向に沿って延びた一対の縁部のうち、図７中で上側の縁部を第１縁部２６ｂと呼び、下側の縁部を第２縁部２６ｃと呼ぶ。そうすると、図７中で上側のスライド機構４０（以下、「第１スライド機構４０」とも呼ぶ）は、第２縁部２６ｃよりも第１縁部２６ｂに近い位置にあり、その中心が第１縁部２６ｂから距離Ｌ１の位置にある。一方、図７中で下側のスライド機構４０（以下、「第２スライド機構４０」とも呼ぶ）は、第１縁部２６ｂよりも第２縁部２６ｃに近い位置にあり、その中心が第２縁部２６ｃから距離Ｌ２の位置にある。なお、距離Ｌ２は、距離Ｌ１よりも大きい。
【００５５】
このような構成において、スライドカバー部２６の第１筐体１２Ａに対するがたつきを低減するためには、第１及び第２スライド機構４０の各嵌め合い公差ｔは、いずれも可能な限り小さくする必要がある。ところが、各嵌め合い公差ｔがいずれも小さ過ぎると、嵌め合い公差ｔのばらつきやスライド機構４０の取付誤差等により、２本のスライド機構４０のレール４１同士が平行せず、正常なスライドができなくなる恐れがある。
【００５６】
そこで、本実施形態のカバー装置１４は、第１スライド機構４０の摺動部でのがたつき（嵌め合い公差ｔ）が、第２スライド機構４０の摺動部でのがたつき（嵌め合い公差ｔ）よりも大きく設定されている。なお、嵌め合い公差ｔの違い、例えば第１スライド機構４０のレール４１のＹ方向幅を第２スライド機構４０のレール４１のＹ方向幅よりも小さくすることで形成した。これにより、嵌め合い公差ｔが小さい第１スライド機構４０でスライドカバー部２６のがたつきを抑え、同時に嵌め合い公差ｔが大きい第２スライド機構４０で正常なスライド動作を確保することができる。
【００５７】
しかも嵌め合い公差ｔが大きい第１スライド機構４０の第１縁部２６ｂまでの距離Ｌ１は、嵌め合い公差ｔが小さい第２スライド機構４０の第２縁部２６ｃよりも小さい。これにより例えばユーザが第１縁部２６ｂを掴んで持ち上げた場合、距離Ｌ１が小さいことで、がたつきの大きな第１スライド機構４０でスライダ４２がレール４１から脱落し、或いはこのがたつきの大きさに起因して第１縁部２６ｂが大きく捲れ上がることを抑制できる。第１縁部２６ｂから第１スライド機構４０までの距離Ｌ１が短いと、そこに作用するモーメント力も小さいからである。
【００５８】
一方、第２縁部２６ｃに対して、比較的大きな距離Ｌ２を介して配置された第２スライド機構４０は、嵌め合い公差ｔが微小である。このため、第２スライド機構４０では、スライダ４２のレール４１からの脱落や、第２縁部２６ｃが大きく捲れ上がることが構造的に抑制されている。
【００５９】
図１０は、スライダ４２の係止部４２ｄとフック５２との係止状態を模式的に示す側面断面図である。図１０に示すように、係止部４２ｄは、樹脂で形成され、フック５２に係止される端面にＹ方向に延びたひも状の突起４２ｅを有する。係止部４２ｄは、突起４２ｅがフック５２に押し付けられて潰れ、これにより強固にがたつきなく係止される。係止部４２ｄとフック５２との係止構造は変更可能である。
【００６０】
次に、カバー装置１４の筐体１２Ａ，１２Ｂに対する取付方法を説明する。以下では、ヒンジ装置２４の取付方法を説明し、併せてカバー装置１４の取付方法を説明する。
【００６１】
図７に示すように、ヒンジ装置２４は、先ず、第２ブラケット３２Ａ，３２Ｂがスタンドカバー部２２に固定される。図６に示すように、スタンドカバー部２２の芯材４８には、第２ブラケット３２Ａ，３２Ｂを位置決め可能な孔部（ブラケット配置部４８ａ）が一対形成されている。第２ブラケット３２Ａ，３２Ｂは、それぞれブラケット配置部４８ａに配設されることで、芯材４８に位置決めされる。次いで、裏面材４６、補助シート４７、及び表面材４９を芯材４８の両面に適宜積層し、それぞれ固定部材５０で固定する。これによりスタンドカバー部２２の製造が完了する。このスタンドカバー部２２は、積層体の途中に第２ブラケット３２Ａ，３２Ｂが挿入固定され、ヒンジ軸３０が縁部２２ａに沿って近接配置され、第１ブラケット３１Ａ，３１Ｂがフリーの状態にある。
【００６２】
図５に示すように、ベースカバー部２０は、予め芯材３４Ａ，３４Ｂの表面にグラファイトシート３５、補助シート３６、表面材３７、及び保護カバー３８を積層して互いに固定部材３９で固定した積層体を形成しておく。この際、スライドカバー部２６の芯材３４Ａの裏面（凹部３４ａ）に、スライド機構４０のレール４１をねじや接着剤等で固定しておく。これによりベースカバー部２０の製造が完了する。
【００６３】
次に、スタンドカバー部２２及びベースカバー部２０を筐体１２Ａ，１２Ｂに取り付ける。先ず、スタンドカバー部２２を第２筐体１２Ｂに固定する。スタンドカバー部２２は、一体化されたヒンジ装置２４の第１ブラケット３１Ａ，３１Ｂを第２筐体１２Ｂの背面１２Ｂｂに固定する。第１ブラケット３１Ａ，３１Ｂは、ねじ５４（図１１Ｂ参照）を用いて背面１２Ｂｂに形成されたねじ穴５５（図１１Ｃ参照）にねじ止めされる。これによりスタンドカバー部２２が第２筐体１２Ｂに対してヒンジ装置２４を介して回動可能な状態で固定される。
【００６４】
続いて、ベースカバー部２０を筐体１２Ａ，１２Ｂに固定する。ベースカバー部２０は、筐体１２Ａ，１２Ｂの背面１２Ａｂ，１２Ｂｂ上に載置しつつ、先ず、スライドカバー部２６を固定する。すなわち、スライドカバー部２６に固定されたスライド機構４０のスライダ４２を第１筐体１２Ａの背面１２Ａｂに固定する。スライダ４２の固定は、第１に、第１筐体１２Ａ側のフック５２に係止部４２ｄを係止させる。第２に、図１１Ｂに示す状態と同様に、固定カバー部２８から折曲カバー部２７までを捲り上げてスライダ４２の取付孔４２ｂを露出させる。第３に、取付孔４２ｂを通したねじ５６（図１１Ｂ参照）を第１筐体１２Ａの図示しないねじ穴に固定する。これによりスライドカバー部２６が第１筐体１２Ａに対してスライド機構４０を介して相対移動可能に取り付けられる。
【００６５】
続いて、固定カバー部２８及び折曲カバー部２７を背面１２Ｂｂ，１２Ａｂを覆うように下ろす。固定カバー部２８は、両面粘着テープ４４を用いて第２筐体１２Ｂの背面１２Ｂｂに固定する。折曲カバー部２７は、特に固定等をする必要はない。これにより固定カバー部２８が第２筐体１２Ｂと固定される。この際、折曲カバー部２７は、スライダ４２の取付孔４２ｂ及びねじ５６と、両面粘着テープ４４のタブ４４ａとを覆った状態となる。その結果、カバー装置１４の筐体１２Ａ，１２Ｂに対する取付作業が完了する。
【００６６】
次に、カバー装置１４の筐体１２Ａ，１２Ｂからの取外方法を説明する。図１１Ａ〜図１１Ｃは、カバー装置１４の筐体１２Ａ，１２Ｂからの取外作業の各工程を模式的に示す説明図である。図１２は、平板形態の筐体１２Ａ，１２Ｂから折曲カバー部２７を浮かせた状態を模式的に示す側面図である。
【００６７】
図１１Ａに示すように、カバー装置１４は、筐体１２Ａ，１２Ｂの背面１２Ａｂ，１２Ｂｂに取り付けられた状態では、折曲カバー部２７の裏側に両面粘着テープ４４のタブ４４ａが配置されている（図７も参照）。そこで、当該取外方法では、先ず、筐体１２Ａ，１２Ｂ間を積層形態から平板形態に開く。この際、スライドカバー部２６は、先端部２６ａを指先等で押さえておき、そのスライドを阻止する。そうすると、スライドカバー部２６は、第１筐体１２Ａに対してＸ２側に相対移動する。これによりベースカバー部２０は、図１２に示すように、スライドカバー部２６の先端部２６ａの位置が積層形態時と同位置に維持され、折曲カバー部２７が側面視略ドーム状に膨らんで背面１２Ａｂ，１２Ｂｂから離間する。
【００６８】
その結果、図１２示すように、折曲カバー部２７と背面１２Ａｂ，１２Ｂｂとの間に隙間Ｇが形成され、この隙間Ｇに両面粘着テープ４４のタブ４４ａが露呈する。この隙間Ｇに指先やピンセットのような工具を差し込み、全てのタブ４４ａを引っ張り、全ての両面粘着テープ４４を剥離し、除去する。これにより固定カバー部２８が第２筐体１２Ｂから外れる。両面粘着テープ４４の除去後は、スライドカバー部２６の押さえ付けを止める。そうすると、スライドカバー部２６は、ばね４３の付勢力で先端部２６ａが開放端部１２Ａｃに一致する位置までスライドする。
【００６９】
続いて、図１１Ｂに示すように、固定カバー部２８及び折曲カバー部２７を背面１２Ａｂ，１２Ｂｂから持ち上げて捲り上げる。固定カバー部２８は、折曲カバー部２７を折り曲げつつ、縁部２８ａがスライドカバー部２６の先端部２６ａを越える位置まで引っ張る。これによりスライダ４２のＸ２側端部及びここに形成された取付孔４２ｂ（ねじ５６）が露呈する。そこで、図１１Ｃに示すように、ねじ５６を取り外した後、スライドカバー部２６をＸ１側に移動させる。これによりフック５２から係止部４２ｄが外れるため、スライド機構４０が第１筐体１２Ａから完全に外れる。その結果、ベースカバー部２０が筐体１２Ａ，１２Ｂから取り外される。
【００７０】
一方、図１１Ｂに示すように、スタンドカバー部２２は、固定カバー部２８が持ち上げられたことで、第１ブラケット３１Ａ，３１Ｂ（ねじ５４）が露呈する。そこで、ねじ５４を取り外す。これにより、スタンドカバー部２２が第２筐体１２Ｂから取り外される（図１１Ｃ参照）。その結果、カバー装置１４の筐体１２Ａ，１２Ｂからの取外作業が完了する。
【００７１】
以上のように、当該携帯用情報機器１０は、互いに相対的に回動可能に連結された筐体１２Ａ，１２Ｂの背面１２Ａｂ，１２Ｂｂを覆うカバー装置１４を備える。カバー装置１４は、第１筐体１２Ａに対してスライド機構４０を介して支持されるスライドカバー部２６と、第２筐体１２Ｂに対して固定される固定カバー部２８と、スライドカバー部２６と折曲カバー部２７の間を接続する折曲カバー部２７と、を有する。そして、スライドカバー部２６を第１筐体１２Ａに対して連結するスライド機構４０は、スライドカバー部２６に固定されるレール４１と、レール４１とＸ方向に沿って互いに摺動可能に連結され、第１筐体１２Ａに固定されるスライダ４２と、を有する。スライダ４２には、第１筐体１２Ａに対するねじ止め用の取付孔４２ｂが設けられている。この取付孔４２ｂは、折曲カバー部２７と重なる位置に配置されている（図７参照）。
【００７２】
従って、当該携帯用情報機器１０は、カバー装置１４を取り外す際、先ず、固定カバー部２８を第２筐体１２Ｂから取り外した後、折曲カバー部２７を曲げて固定カバー部２８及び折曲カバー部２７を捲り上げる。これにより、カバー装置１４は、折曲カバー部２７の下に隠されていたスライダ４２の取付孔４２ｂが露呈する。そこで、取付孔４２ｂに通されたねじ５６を取り外すことで、スライドカバー部２６が第１筐体１２Ａから取り外され、カバー装置１４の取外作業が完了する。すなわち、カバー装置１４は、折り畳み可能な筐体１２Ａ，１２Ｂを覆うために必要な折曲カバー部２７を利用して、固定カバー部２８の取り外し後にその下に隠されていた取付孔４２ｂを露呈させることで、スライドカバー部２６を容易に取り外すことができる。このため、携帯用情報機器１０は、ディスプレイ１６及びバッテリ装置等の各種電子部品並びにカバー装置１４の交換やメンテナンスが容易である。
【００７３】
なお、スライド機構４０は、２つのスライダ部品であるレール及びスライダを備えていればよく、レール及びスライダの呼び方は、いずれを固定側、スライド側と捉えるかで変わる概念である。つまりスライドカバー部２６に固定されるレール４１をスライダと呼んでもよいし、第１筐体１２Ａに固定されるスライダ４２をレールと呼んでもよい。
【００７４】
当該カバー装置１４は、固定カバー部２８が引張剥離可能な両面粘着テープ４４を用いて第２筐体１２Ｂに固定されている。この際、両面粘着テープ４４のタブ４４ａは、折曲カバー部２７と重なる位置にある。このため、カバー装置１４は、固定カバー部２８を取り外す際には、折曲カバー部２７を撓ませて筐体１２Ａ，１２Ｂとの間に隙間Ｇを形成するだけで、隙間Ｇからタブ４４ａを引っ張ることができる。その結果、当該カバー装置１４は、固定カバー部２８の取外作業も容易である。また、両面粘着テープ４４が、容易に剥離可能であるため、固定カバー部２８を第２筐体１２Ｂから剥がす際にいずれか一方が破損することも防止できる。なお、固定カバー部２８の破損を問題としない場合等では、両面粘着テープ４４に代えて一般的な両面テープを用いてもよい。なお、本実施形態の取付孔４２ｂやタブ４４ａは、折曲カバー部２７に重なる位置にあるが、取付孔４２ｂやタブ４４ａは、左右の芯材３４Ａ，３４Ｂ間の隙間にあると言い換えることもできる。
【００７５】
当該カバー装置１４は、固定カバー部２８と共に第２筐体１２Ｂの背面１２Ｂｂを覆うスタンドカバー部２２を備える。このスタンドカバー部２２は、第２筐体１２Ｂに対してヒンジ装置２４を介して回動可能に連結されている。この際、ヒンジ装置２４は、第２筐体１２Ｂに固定される第１ブラケット３１Ａ，３１Ｂが固定カバー部２８で覆われている。このため、スタンドカバー部２２は、ヒンジ装置２４がカバー装置１４の外観上で目立つことがない。また、スタンドカバー部２２の取外作業では、固定カバー部２８を第２筐体１２Ｂから持ち上げた後、容易に第１ブラケット３１Ａ，３１Ｂを第２筐体１２Ｂから取り外すことができる。このため、当該カバー装置１４は、スタンドカバー部２２を備えた構成でありながらも、外観品質や取外作業の容易性の低下が抑制されている。
【００７６】
図１３は、変形例に係るスタンドカバー部６０を有するカバー装置１４が装着された携帯用情報機器１０を見たカバー装置１４側から見た平面図である。図１４は、スタンドカバー部６０を用いて携帯用情報機器１０を横置きで立てた状態での模式的な斜視図である。図１５は、スタンドカバー部６０を用いて携帯用情報機器１０を縦置きで立てた状態での模式的な斜視図である。図１３〜図１５において、図１〜図１２に示される参照符号と同一の参照符号は同一又は同様な構成を示し、このため同一又は同様な機能及び効果を奏するものとして詳細な説明を省略する。
【００７７】
図１３に示すように、スタンドカバー部６０は、図３に示すスタンドカバー部２２と形状等が異なる。このため、図１３に示すベースカバー部２０は、図３に示す固定カバー部２８と形状が異なる固定カバー部６２を有する。固定カバー部６２及びスタンドカバー部６０の内部構造は、上記した固定カバー部２８及びスタンドカバー部２２と同一でよい。
【００７８】
固定カバー部６２及びスタンドカバー部６０は、全体として略長方形の外形を形成している点は、図３に示す固定カバー部２８及びスタンドカバー部２２と同様である。ここで、固定カバー部６２及びスタンドカバー部６０で形成される略長方形の外形の部分、つまりカバー装置１４が第２筐体１２Ｂの背面１２Ｂｂを覆う部分について、Ｘ方向に沿った短い縁部をそれぞれ第１短辺Ｓ１、第２短辺Ｓ２と呼び、Ｙ方向に沿った長い縁部をそれぞれ第１長辺Ｓ３、第２長辺Ｓ４と呼ぶ。第１長辺Ｓ３は、第２筐体１２Ｂの開放端部１２Ｂｃと一致する。第２長辺Ｓ４は、固定カバー部６２と折曲カバー部２７との境界線Ｂ２と一致する。
【００７９】
図１３に示すように、スタンドカバー部６０は、平面視略台形状に形成されている。スタンドカバー部６０は、ヒンジ取付縁部６０ａと、自由縁部６０ｂと、第１底縁部６０ｃと、第２底縁部６０ｄと、を有する。
【００８０】
ヒンジ取付縁部６０ａは、第１長辺Ｓ３の中央よりも第１短辺Ｓ１に寄った位置にある第１端部Ｐ１から第２長辺Ｓ４に向かって次第に第１短辺Ｓ１から離間する方向に傾斜しながら延在し、第２長辺Ｓ４よりも手前の位置に第２端部Ｐ３が設けられている。ヒンジ取付縁部６０ａは、台形の脚となる辺である。ヒンジ取付縁部６０ａは、ヒンジ装置２４の取付縁部である。ヒンジ装置２４は、ヒンジ軸３０がヒンジ取付縁部６０ａに沿って配置され、第２ブラケット３２Ａ，３２Ｂがヒンジ取付縁部６０ａを介してスタンドカバー部６０に固定される。
【００８１】
自由縁部６０ｂは、第２長辺Ｓ４と平行してヒンジ取付縁部６０ａの第２端部Ｐ２から第２短辺Ｓ２まで延在している。自由縁部６０ｂは、台形の上底となる辺である。自由縁部６０ｂは、第２筐体１２Ｂ及び固定カバー部６２に対して相対移動可能である。つまり自由縁部６０ｂは、固定カバー部２８とスタンドカバー部６０とを分断した分割線である。
【００８２】
第１底縁部６０ｃは、第２短辺Ｓ２に沿った縁部である。第１底縁部６０ｃは、台形の脚となる辺であり、上底となる自由縁部６０ｂ及び下底となる第２底縁部６０ｄと直交している。第２底縁部６０ｄは、第１長辺Ｓ３に沿った縁部である。第２底縁部６０ｄは、台形の下底となる辺である。
【００８３】
固定カバー部６２は、長方形から台形のスタンドカバー部６０を切り抜いた形状である。固定カバー部６２は、ヒンジ取付縁部６０ａと対向する縁部６２ａと、自由縁部６０ｂと対向する縁部６２ｂとで、スタンドカバー部６０と隣接している。
【００８４】
このようなスタンドカバー部６０を備えたカバー装置１４は、固定カバー部６２に対して適度な角度（起立位置）に設定することで、平板形態とした携帯用情報機器１０を起立姿勢に維持するスタンドとして機能する。具体的には、携帯用情報機器１０を横置きとする場合、スタンドカバー部６０は、図１４に示すように、第１底縁部６０ｃが机面上等に当接し、携帯用情報機器１０を背面１２Ａｂ，１２Ｂｂ側に少し倒れた所定の横置きの起立姿勢に維持することができる。一方、携帯用情報機器１０を縦置きとする場合、スタンドカバー部６０は、図１５に示すように、第２底縁部６０ｄが机面上等に当接し、携帯用情報機器１０を背面１２Ａｂ，１２Ｂｂ側に少し倒れた所定の縦置きの起立姿勢に維持することができる。
【００８５】
なお、本発明は、上記した実施形態に限定されるものではなく、本発明の主旨を逸脱しない範囲で自由に変更できることは勿論である。
【００８６】
上記では、スタンドカバー部２２を備えたカバー装置１４を例示した。しかしながら、カバー装置１４は、スタンド機能が不要である場合は、スタンドカバー部２２を省略すればよい。
【００８７】
上記では、スタンドカバー部２２は、その底縁部２２ｃが第２筐体１２ＢのＸ方向に延びた下端面と一致する構成であるため、ヒンジ軸３０をＸＹ方向に対して傾斜した姿勢で配置し、図４に示す起立位置で携帯用情報機器１０が多少後倒しの起立姿勢となるようにしていた。しかしながら、スタンドカバー部２２の設置位置等によっては、ヒンジ軸３０は、Ｘ方向又はＹ方向に平行に設置されてもよい。
【００８８】
上記では、カバー装置１４は、筐体１２Ａ，１２Ｂに一体的に固定される構成を例示した。しかしながら、カバー装置１４は、携帯用情報機器１０とは完全に別体の単独部品でもよく、この場合、カバー装置１４は、例えば磁石やフックを用いて筐体１２Ａ，１２Ｂに着脱可能に装着される構成でもよい。このような単独部品のカバー装置１４では、スタンドカバー部２２，６０は、第１ブラケット３１Ａ，３１Ｂがベースカバー部２０に固定されればよい。
【００８９】
上記では、本のように二つ折りに折り畳み可能な携帯用情報機器１０を例示したが、折り畳み型の携帯用情報機器としては、同形の筐体同士を二つ折りに折り畳む構成以外、例えば大形の筐体の左右縁部にそれぞれ小形の筐体を折り畳み可能に連結した観音開きの構成、１つの筐体の左右縁部にそれぞれ折り畳み方向の異なる筐体を連結したＳ型の折り畳み構成、大形の筐体の左右一方の縁部に小形の筐体を折り畳み可能に連結したＪ型の折り畳み構成等、各種構成を例示でき、筐体の連結数は４以上としてもよい。この場合、カバー装置１４は、各筐体の全部又は一部の背面を覆う構成とすればよく、２以上が同時に利用されてもよい。
【符号の説明】
【００９０】
１０  携帯用情報機器
１２Ａ  第１筐体
１２Ｂ  第２筐体
１４  カバー装置
１６  ディスプレイ
２０  ベースカバー部
２２，６０  スタンドカバー部
２４  ヒンジ装置
２６  スライドカバー部
２７  折曲カバー部
２８，６２  固定カバー部
４０  スライド機構
４１  レール
４２  スライダ
４２ｄ  係止部
４３  ばね
４４  両面粘着テープ
４４ａ  タブ
５２  フック
【要約】
【課題】筐体から容易に取り外すことができるカバー装置を備える携帯用情報機器、カバー装置、及びカバー装置の取外方法を提供する。
【解決手段】携帯用情報機器は、第１筐体と、第２筐体と、カバー装置と、を備える。前記カバー装置は、スライド機構を用いて前記第１筐体と連結されるスライドカバー部と、固定部材を用いて前記第２筐体と固定される固定カバー部と、前記スライドカバー部と前記固定カバー部との間を相対的に回動可能に接続する折曲カバー部と、を有する。前記スライド機構は、前記スライドカバー部に固定され、前記並び方向に沿って互いに摺動可能に連結されるレール及びスライダの一方である第１スライダ部品と、前記第１筐体に固定され、前記レール及びスライダの他方である第２スライダ部品と、を有する。前記第２スライダ部品には、前記第１筐体に対するねじ止め用の取付孔が設けられ、前記取付孔は、前記折曲カバー部と重なる位置に配置されている。
【選択図】図７【図１】
0006967636.tif 000002
【図２Ａ】
0006967636.tif 000003
【図２Ｂ】
0006967636.tif 000004
【図２Ｃ】
0006967636.tif 000005
【図３】
0006967636.tif 000006
【図４】
0006967636.tif 000007
【図５】
0006967636.tif 000008
【図６】
0006967636.tif 000009
【図７】
0006967636.tif 000010
【図８Ａ】
0006967636.tif 000011
【図８Ｂ】
0006967636.tif 000012
【図９】
0006967636.tif 000013
【図１０】
0006967636.tif 000014
【図１１Ａ】
0006967636.tif 000015
【図１１Ｂ】
0006967636.tif 000016
【図１１Ｃ】
0006967636.tif 000017
【図１２】
0006967636.tif 000018
【図１３】
0006967636.tif 000019
【図１４】
0006967636.tif 000020
【図１５】
0006967636.tif 000021